(57)【特許請求の範囲】
【請求項１】
地盤上に立設される基礎の内側面とこの基礎の内側面に隣接する地盤とを跨ぐ領域に対して防蟻施工する方法であって、
前記基礎の長手方向に沿って、当該基礎の内側面とこの基礎の内側面に隣接する地盤とを跨ぐように防蟻シートを配設し、かつ、この防蟻シートの上端部を前記基礎の内側面に仮止めする防蟻シート配設工程と、
前記防蟻シートにおいてその上端と地盤との間の特定の高さ位置まで前記基礎の内側の地盤上に土間コンクリートを打設してこの土間コンクリートが前記防蟻シートを前記高さ位置まで覆う状態にする土間コンクリート打設工程と、
前記基礎の内側面に仮止めされている前記防蟻シートの上端を当該基礎の内側面から離間させ、この離間した状態で当該防蟻シートの裏面と前記基礎の内側面との間に挟まれる隙間に防蟻成分を含む防蟻接着剤を注入する接着剤注入工程と、
この注入した防蟻接着剤が硬化する前に前記防蟻シートの上端を粘着テープにより前記基礎の内側面に止着する止着工程とを順に行うことを特徴とする防蟻施工方法。
【請求項２】
請求項１記載の防蟻施工方法において、
前記防蟻シート配設工程では、前記防蟻シートの上端部を前記基礎の内側面に粘着テープにより仮止めし、
前記接着剤注入工程では、前記粘着テープが前記防蟻シートの上端に付いた状態のままこの粘着テープを前記基礎の内側面から剥がすことにより当該基礎の内側面から前記防蟻シートの上端を離間させるようにし、
前記止着工程では、前記防蟻シートの上端に付いている前記粘着テープをそのまま用いて当該防蟻シートの上端を前記基礎の内側面に止着することを特徴とする防蟻施工方法。
【請求項３】
請求項１または２記載の防蟻施工方法により施工された防蟻構造であって、
前記土間コンクリートよりも上側でかつ前記防蟻シートの上端よりも下側の高さ領域で前記防蟻シートの裏面と前記基礎の内側面とが前記防蟻接着剤を介して接着され、かつ、前記防蟻シートの上端が粘着テープにより前記基礎の内側面に留められていることを特徴とする防蟻構造。
【発明の詳細な説明】
【技術分野】
【０００１】
本発明は、土間側の基礎際に対して防蟻施工する技術に関するものである。
【背景技術】
【０００２】
従来、土間側の基礎際に対して防蟻施工する方法として、特許文献１に記載されるものが知られている。この施工方法により得られる防蟻構造を図７に示す。
【０００３】
図において、地盤１００上にはコンクリート製の基礎（図例では布基礎）１０２が立設され、その上に建築物１０４が支持されている。そして、前記基礎１０２の内側面と、この基礎１０２の内側面に隣接する地盤１０２とを跨ぐように防蟻シート１０６が配設されるとともに、この防蟻シート１０６のさらに内側の領域に土間全域を覆う別の防蟻シート１０９が敷設されており、この防蟻シート１０９の外縁部に前記防蟻シート１０６の内側端部１０７が重ねられる一方、当該防蟻シート１０６の上端部１０８は前記基礎１０２の内側面に当該基礎１０２と一体に固着されている。そして、前記防蟻シート１０６，１０９を覆うようにその上から土間コンクリート１１０が打設されている。
【０００４】
ここで、前記防蟻シート１０６の上端部１０８と前記基礎１０２の内側面との固着は、当該基礎１０２を構築するためのコンクリートを所定の型枠内に流し込んだ後、このコンクリートが固まる前に当該コンクリートに前記防蟻シート１０６を接触させておき、その接触状態のまま前記コンクリートを固めることにより行われている。
【０００５】
このような防蟻構造によれば、基礎１０２の内側面とこれに隣接する地盤１００とを跨ぐように防蟻シート１０６が配設されているため、仮に土間コンクリート１１０が収縮する等して当該土間コンクリート１１０と基礎１０２の内側面との間に隙間が生じても、この隙間から白蟻が這い上がってくるのを前記防蟻シート１０６によって抑止することができる。すなわち、基礎際の防蟻施工を効果的に行うことができる。また、前記防蟻シート１０６の上端部１０８は前記基礎１０２と一体に固められているので、その固着状態を長期にわたって維持することができる。
【特許文献１】特開２００３−２４７２８１号公報
【発明の開示】
【発明が解決しようとする課題】
【０００６】
前記方法では、前記防蟻シート１０６の上端部１０８を基礎構築用のコンクリートが固化する前に当該コンクリートに接触させるために、予め型枠の内側に前記防蟻シート１０６をセットしておかなければならず、その施工作業は複雑となる。また、最終的に得られる構造では、防蟻シート１０６に含まれる防蟻剤による防蟻効果は得られるものの、当該防蟻シート１０６のみによる防蟻にとどまるので、さらなる防蟻効果の向上が求められる。また、前記防蟻シート１０６にはしわが生じ易く（特に基礎の入隅部分）、この防蟻シート１０６を基礎１０２の内側面に十分に密着させることは難しい。
【０００７】
このような課題を解決する手段として、前記基礎１０２を完成させた後、前記土間コンクリート１１０を打つ前に、予め前記防蟻シート１０６の上端部１０８を防蟻剤を含む接着剤（防蟻接着剤）で前記基礎１０２の内側面に接着しておくことが考えられるが、このような防蟻接着剤の塗布を前記基礎１０２及び前記防蟻シート１０６の長手方向全域にわたって塗布する作業、さらには、当該防蟻シート１０６の上端部１０８を正確に位置決めして前記基礎１０２の内側面に固着させる作業は容易でなく、高い施工効率は得られにくい。
【０００８】
本発明は、このような事情に鑑み、防蟻効果の高い構造を効率良く施工することを目的とする。
【課題を解決するための手段】
【０００９】
前記課題を解決するための手段として、本発明は、地盤上に立設される基礎の内側面とこの基礎の内側面に隣接する地盤とを跨ぐ領域に対して防蟻施工する方法であって、前記基礎の長手方向に沿って、当該基礎の内側面とこの基礎の内側面に隣接する地盤とを跨ぐように防蟻シートを配設し、かつ、この防蟻シートの上端部を前記基礎の内側面に仮止めする防蟻シート配設工程と、前記防蟻シートにおいてその上端と地盤との間の特定の高さ位置まで前記基礎の内側の地盤上に土間コンクリートを打設してこの土間コンクリートが前記防蟻シートを前記高さ位置まで覆う状態にする土間コンクリート打設工程と、前記基礎の内側面に仮止めされている前記防蟻シートの上端を当該基礎の内側面から離間させ、この離間した状態で当該防蟻シートの裏面と前記基礎の内側面との間に挟まれる隙間に防蟻成分を含む防蟻接着剤を注入する接着剤注入工程と、この注入した防蟻接着剤が硬化する前に前記防蟻シートの上端を粘着テープにより前記基礎の内側面に止着する止着工程とを順に行うものである。
【００１０】
この方法では、防蟻シートの上端を防蟻テープによって基礎の内側面に簡易的に留めておき、その状態で土間コンクリートを打設した後に、前記防蟻シートの上端を前記基礎の内側面から離間させて当該防蟻シートの裏面と前記基礎の内側面との隙間に防蟻接着剤を注入するようにしているので、単純に防蟻シートの裏面にその長手方向全域にわたって防蟻接着剤を塗布する作業に比べ、防蟻接着剤を簡単な作業で防蟻シートの裏面と基礎内側面との間にセッティングすることが可能であり、しかも、その後は前記防蟻シートの上端を前記基礎内側面に戻して再び止着するだけで、前記防蟻接着剤による良好な接着状態を最終的に得ることができる。
【００１１】
ここで、前記防蟻シート配設工程では、前記防蟻シートの上端部を前記基礎の内側面に粘着テープにより仮止めし、前記接着剤注入工程では、前記粘着テープが前記防蟻シートの上端に付いた状態のままこの粘着テープを前記基礎の内側面から剥がすことにより当該基礎の内側面から前記防蟻シートの上端を離間させるようにしておけば、その後の止着工程では、前記防蟻シートの上端に付いている前記粘着テープをそのまま用いて当該防蟻シートの上端を前記基礎の内側面に止着することが可能であり、これにより施工効率をさらに高めることができる。
【００１２】
また、以上のようにして得られる防蟻構造では、前記防蟻シートが前記基礎の長手方向に沿って当該基礎の内側面とこの基礎の内側面に隣接する地盤とを跨ぐように配設されているのに加え、さらに、この防蟻シートの裏面と基礎内側面との間に防蟻接着剤が介在してこれらの面に挟まれる隙間を塞いでいるため、これにより防蟻性能が高められる。また、防蟻シートの一部に若干の欠損が生じても、この防蟻シートと前記基礎内側面とを接着する前記防蟻接着剤によって高い防蟻効果を維持することが可能である。
【００１３】
さらに、前記防蟻シートの上端を比較的簡単に基礎内側面から剥がすことが可能であり、これによって、前記防蟻接着剤を補充する等のメンテナンス作業を容易に行うことができる利点もある。
【発明の効果】
【００１４】
以上のように、本発明によれば、防蟻シートと防蟻接着剤とが併存する防蟻効果の高い構造を効率良く施工することができる効果がある。
【発明を実施するための最良の形態】
【００１５】
本発明の好ましい実施の形態を、図１〜図６を参照しながら各工程順に説明する。
【００１６】
１）防蟻シート配設工程（図１）
この工程は、地盤上に立設される基礎１０の土間側の際に防蟻シート１８を配設するものである。
【００１７】
図示の基礎１０は、図の奥行き方向に延びる布基礎であり、水平方向に延びるフーチング１２と、このフーチング１２の幅方向中央部から上方に延びる垂直部１４とを一体に有している。この基礎１０に対し、当該基礎１０の内側面（以下「基礎内側面」と称する。）１３とこれに隣接する地盤（すなわち土間）１６とを跨ぐように、前記基礎１０の長手方向に沿って前記防蟻シート１８を配設する。
【００１８】
具体的には、この防蟻シート１８の内側端部１８ａを地盤１６上に敷設し、この地盤１６から基礎内側面１３にかけて当該防蟻シート１８の裏面をほぼ密着させ、この防蟻シート１８の上端１８ｂを前記基礎内側面１３に仮止めする。この仮止めのための具体的手段は特に問わないが、この実施の形態では、図示のように、前記防蟻シート１８の上端１８ｂと基礎内側面１３とに跨って粘着テープ２０を貼り付けるようにする。
【００１９】
前記防蟻シート１８の素材としては、各種合成樹脂材が適用可能であり、防湿性も併有するものであればなお好ましい。具体的には、ＥＶＡ（エチレン−酢酸ビニル共重合体）、低密度ポリエチレン等のポリエチレン・ポリプロピレン・エチレン−αオレフィン共重合体等に代表されるオレフィン系素材、ＰＶＣ（ポリ塩化ビニル）、ＡＢＳ樹脂、ポリスチレン、アクリル樹脂等が例示される。特に、ＥＶＡ、低密度ポリエチレン、軟質ＰＶＣといった柔軟性に富んだ材料は、設置作業時の折り曲げ等が容易であるため、作業性向上の点から好ましい。さらに、当該防蟻シート１８の防蟻効果を高めるべく、前記シート材にピレスロイド様殺虫剤やピレスロイド系殺虫剤や有機リン系殺虫剤等に代表される防蟻剤を練り込むようにしてもよい。
【００２０】
この実施の形態では、前記の防蟻シート１８に加えてさらに、図２に示すような土間用防蟻シート２２を敷くようにする。この土間用防蟻シート２２は、図２に示すように当該防蟻シート１８の内側の領域（土間領域）に当該防蟻シート１８の内側端部１８ａと重なるようにして一面に敷設するのが好ましい。
【００２１】
この土間用防蟻シート２２は、前記防蟻シート１８と同素材でもよいし、別素材でもよい。また、この土間用防蟻シート２２と前記防蟻シート１８とを一体に形成してもよいし、当該土間用防蟻シート２２を適宜省略してもよい。すなわち、本発明では、少なくとも基礎内側面とこれに隣接する地盤とに跨る防蟻シート１８を含んでいればよい。
【００２２】
２）コンクリート打設工程（図３）
前記基礎１０の内側の地盤（土間）１６上に土間コンクリート２４を打設する。具体的には、前記防蟻シート１８の内側端部１８ａ及び前記土間用防蟻シート２２上で、前記防蟻シート１８においてその上端と地盤との間の特定の高さ位置までコンクリートを流し込み、固化させることにより、土間コンクリート２４を形成する。これにより、当該土間コンクリート２４が前記防蟻シート１８を前記の高さ位置まで覆う状態となる。すなわち、この土間コンクリート２４と前記基礎内側面１３との間に前記防蟻シート１８の前記高さ位置までの垂直部分が介在し、かつ、それよりも上側に防蟻シート１８の上部が露出する状態となる。
【００２３】
３）接着剤注入工程（図４，図５）
前記防蟻テープ２０を前記防蟻シート１８の上端側に付けたまま当該テープ２０を前記基礎内側面１３から剥がすことにより、当該基礎内側面１３から前記防蟻シート１８の上端１８ｂを離間させ（図４）、この離間した状態で当該防蟻シート１８の裏面と前記基礎内側面１３との間に挟まれる隙間に防蟻接着剤２６を上から注入する（図５）。
【００２４】
この防蟻接着剤２６は、前記基礎１０を構成するコンクリートと前記防蟻シート１８とに対する接着性に優れ、かつ、防蟻成分を含むものであればよく、具体的には、アスファルトもしくは適当なエマルジョン（アクリル系やウレタン系等の合成樹脂のエマルジョンまたはＳＢＲをはじめとする合成ゴムのエマルジョン）中に前述の殺虫剤や防蟻剤を混入させたもの等が好適である。
【００２５】
この接着剤注入工程は、前記基礎内側面１３と防蟻シート１８の上半部（前記高さ位置よりも上側の部分）の裏面との隙間、すなわち、上側にのみ開放された隙間に対して防蟻接着剤２６を上から注入していくだけでよいので、例えば防蟻シート１８の裏面にその長手方向全域にわたって防蟻剤を塗布するような作業に比べて防蟻接着剤２６のセットを効率良く行うことができる。
【００２６】
４）止着工程（図６）
前記防蟻接着剤２６の注入後、この防蟻接着剤２６が硬化する前に、前記防蟻シート１８の上端１８ｂに付いている粘着テープ２０、すなわち前記防蟻シート配設工程で仮止めに使用した粘着テープ２０をそのまま利用して、前記防蟻シート１８の上端１８ｂを前記基礎内側面１３に再度止着する。この止着に伴い、前記防蟻接着剤２６が前記基礎内側面１３と防蟻シート１８とに挟み付けられて適当な偏平形状に変形し、その形状で硬化（半硬化も含む）することにより、前記防蟻シート１８の裏面と前記基礎内側面１３とを前記粘着テープ２０の粘着力よりも強い力で接着するとともに、これらの面に挟まれる隙間を塞ぐ防蟻構造を構築する。
【００２７】
以上説明した施工方法では、土間コンクリート２４を打設して当該土間コンクリート２４により防蟻シート１８の下部と基礎内側面１３との密着を保った状態で、それよりも上側の防蟻シート１８の裏面と基礎内側面１３との隙間に防蟻接着剤２６を注入するようにしているので、この防蟻接着剤２６のセッティングが容易であり、その施工効率を著しく高めることができる。
【００２８】
そして、この施工により得られた構造では、防蟻シート１８の存在に加え、この防蟻シート１８の裏面と基礎内側面１３との隙間が防蟻接着剤２６により塞がれるため、高い防蟻効果を得ることができる。また、仮に前記防蟻シート１８の一部に多少の欠損等が生じても、この防蟻シート１８と基礎内側面１３とを強力に接着する防蟻接着剤２６によって十分な防蟻効果を維持することが可能となる。
【００２９】
さらに、この構造において前記防蟻シート１８の上端１８ｂと基礎内側面１３とは粘着テープ２０で止着されているだけで、比較的容易に剥離させることができるので、この剥離によって施工後のメンテナンス作業（例えば防蟻接着剤２６の補充作業）も容易に行うことができる。
【００３０】
なお、前記防蟻シート配設工程における前記防蟻シート１８の上端１８ｂの仮止めと、前記止着工程における前記上端１８ｂの止着とには、必ずしも同じ手段を用いなくてもよく、例えば前者の仮止めには比較的粘着力の弱いテープを用い、後者の止着には前記テープよりもやや粘着力の高いテープを用いるようにしてもよい。
【００３１】
また、前記防蟻シート配設工程での仮止めや止着工程で粘着テープを使用する場合に、この粘着テープは防蟻シート１８の全長にわたって貼るようにしてもよいし、長手方向に並ぶ複数の箇所に間欠的に貼るようにしてもよい。
【００３２】
また、使用する粘着テープは、片面にのみ粘着剤が塗布された片面テープでも、両面に粘着材が塗布された両面テープでもよい。後者の両面テープでは、その一方の面を防蟻シート１８の裏面に貼着し、他方の面を基礎内側面１３に貼着するようにすればよい。
【図面の簡単な説明】
【００３３】
【図１】本発明の実施の形態において基礎際に防蟻シートを配設した段階を示す断面図である。
【図２】前記防蟻シートに加えて土間用防蟻シートを敷設した段階を示す断面図である。
【図３】前記防蟻シート及び土間用防蟻シート上に土間コンクリートを打設した段階を示す断面図である。
【図４】前記防蟻シートの上端を基礎内側面から離間させた段階を示す断面図である。
【図５】前記防蟻シートの裏面と前記基礎内側面との隙間に防蟻接着剤を注入した段階を示す断面図である。
【図６】前記接着剤注入工程後に止着工程を行った状態を示す断面図である。
【図７】従来の防蟻構造の例を示す断面図である。
【符号の説明】
【００３４】
１０    基礎
１３    基礎内側面
１６    地盤
１８    防蟻シート
１８ｂ  防蟻シートの上端
２０    粘着テープ
２４    土間コンクリート
２６    防蟻接着剤
【図１】
0004701070.tif 000002
【図２】
0004701070.tif 000003
【図３】
0004701070.tif 000004
【図４】
0004701070.tif 000005
【図５】
0004701070.tif 000006
【図６】
0004701070.tif 000007
【図７】
0004701070.tif 000008